(57)【特許請求の範囲】
【請求項１】
ボトル本体に、ボトル底部側からボトル口部側へ向けて延びた把手部が設けられた把手付きボトル容器であって、
前記ボトル本体の外壁面には、指先当接用の第一陥没部が、前記把手部よりボトル口部側の位置であって前記把手部の軸線延長線からボトル周方向にずれた位置に形成され、
前記ボトル本体の外壁面には、指先当接用の第二陥没部が、前記把手部よりボトル口部側の位置であって前記把手部の軸線延長線上の位置に形成されていることを特徴とする把手付きボトル容器。
【請求項２】
請求項１記載の把手付きボトル容器において、
前記ボトル本体は、ボトル横断面視において多角形状を成し、
前記第一陥没部が形成されたボトル外壁面は、ボトル横断面視において前記ボトル本体の軸線及び前記把手部の軸線を通る平面に対して傾いていることを特徴とする把手付きボトル容器。
【請求項３】
請求項１または２に記載の把手付きボトル容器において、
前記第一陥没部は、前記把手部の軸線延長線を挟んで両側にそれぞれ形成されていることを特徴とする把手付きボトル容器。
【発明の詳細な説明】
【技術分野】
【０００１】
本発明は、ボトル本体に把手部が設けられた把手付きボトル容器に関する。
【背景技術】
【０００２】
従来、前述の把手付きボトル容器として、例えば特許文献１に開示されているように、把手部の直上に、親指を当接させるための陥没部を形成する技術が提案されている。この陥没部を有する把手付きボトル容器によれば、親指以外の指で把手部を把持するとともに親指を陥没部に当接させ、親指でボトル本体の上部を押圧してボトル容器を前面側（把手部の取付面側の反対方向）に傾けることにより、ボトル容器内の内容物が注がれる。これにより、ボトル容器内の内容物の残量が多くて重量が重い場合でも、内容物を容易に注ぐことができる。
【特許文献１】特開２００１−４８１８３号公報
【発明の開示】
【発明が解決しようとする課題】
【０００３】
しかしながら、上記した従来の把手付きボトル容器では、親指当接用の陥没部が、把手部の軸線延長線上の位置に形成されているため、ボトル容器内の内容物の残量が少なくなった場合に注ぎ難くなるという問題がある。なぜならば、従来のボトル容器のように、ボトル容器を前面側に傾ける動作では、ボトル容器を大きく傾けることが難しいからである。
【０００４】
また、上記した従来のボトル容器のように、ボトル容器を前面側に傾ける動作では、ボトル容器の傾き度合いを微調整しにくく、ボトル容器内の内容物を注ぐ際、注ぎ量を微調整するのが難しいという問題がある。
【０００５】
本発明は、上記した従来の問題が考慮されたものであり、ボトル容器内の内容物の残量が少ない場合でも、その内容物を容易に注ぐことができ、また、ボトル容器内の内容物を注ぐ際、注ぎ量を微調整し易い把手付きボトル容器を提供することを目的としている。
【課題を解決するための手段】
【０００６】
本発明に係る把手付きボトル容器は、ボトル本体に、ボトル底部側からボトル口部側へ向けて延びた把手部が設けられた把手付きボトル容器であって、前記ボトル本体の外壁面には、指先当接用の第一陥没部が、前記把手部よりボトル口部側の位置であって前記把手部の軸線延長線からボトル周方向にずれた位置に形成され、前記ボトル本体の外壁面には、指先当接用の第二陥没部が、前記把手部よりボトル口部側の位置であって前記把手部の軸線延長線上の位置に形成されていることを特徴としている。
【０００７】
このような特徴により、親指以外の指で把手部を把持するとともに、把手部の軸線延長線からボトル周方向にずれた位置にある第一陥没部に親指を当接させた状態で、ボトル容器を側面側（把手部の取付面側に直交する方向）に傾けることにより、ボトル容器内の内容物が注がれる。このとき、ボトル容器が側面側に回動するとともに、第一陥没部に当接された親指によってボトル本体が支えられる。
また、ボトル容器内の内容物の残量が多くて重量が重い場合には、親指以外の指で把手部を把持するとともに、把手部の軸線延長線上の位置にある第二陥没部に親指を当接させた状態で、その親指でボトル本体を押圧してボトル容器を前面側に傾けることにより、ボトル容器内の内容物が注がれる。一方、ボトル容器内の内容物の残量が少なくなった場合には、上述したように、親指以外の指で把手部を把持するとともに、把手部の軸線延長線からボトル周方向にずれた位置にある第一陥没部に親指を当接させた状態で、ボトル容器を側面側に傾けることにより、ボトル容器内の内容物が注がれる。
【０００８】
また、本発明に係る把手付きボトル容器は、前記ボトル本体が、ボトル横断面視において多角形状を成し、前記第一陥没部が形成されたボトル外壁面が、ボトル横断面視において前記ボトル本体の軸線及び前記把手部の軸線を通る平面に対して傾いていることが好ましい。
【０００９】
これにより、第一陥没部が例えば概略半球状のような横方向に対称な簡単な形状であっても、その第一陥没部に親指の腹部分がフィットする。言い換えれば、第一陥没部に親指の腹部分をフィットさせるために、第一陥没部を非対称な形状（例えば、第一陥没部の横方向の一方側の部分を他方側の部分よりも深くした形状等）にする必要が無い。
【００１２】
また、本発明に係る把手付きボトル容器は、前記第一陥没部は、前記把手部の軸線延長線を挟んで両側にそれぞれ形成されていることが好ましい。
【００１３】
これにより、右手で把持する場合には、ボトル容器の後面側（把手部の取付面側）から見て左側の第一陥没部に親指を当接させた状態で、ボトル容器が傾けられて内容物が注がれる。一方、左手で把持する場合には、ボトル容器の後面側から見て右側の第一陥没部に親指を当接させた状態で、ボトル容器が傾けられて内容物が注がれる。
【発明の効果】
【００１４】
本発明に係る把手付きボトル容器によれば、ボトル容器を容易に且つ大きく傾けることができるので、ボトル容器内の内容物の残量が少ない場合でも、その内容物を容易に注ぐことができるという効果を奏する。
また、ボトル容器内の内容物を注ぐ際、注ぎ量の微調整が行い易くなるという効果を奏する。
更に、両側の第一陥没部に、それぞれ親指と人差し指を当接させた状態で安定させて使用することもできる。
【発明を実施するための最良の形態】
【００１５】
以下、本発明に係る把手付きボトル容器の実施の形態について、図面に基いて説明する。
図１は把手取付面側から見た把手付ボトル容器１の側面図であり、図２は把手取付面に直交する方向から見た把手付ボトル容器１の側面図であり、図３はボトル口部側から見た把手付ボトル容器１の平面図であり、図４は図１に示すＡ−Ａ間の横断面図であり、図５は把手付ボトル容器１内の内容物を注ぐ様子を表した図である。
【００１６】
なお、図１、図２に示す鎖線Ｌは後述するボトル本体１０の軸線（以下、ボトル軸Ｌと記す。）を示しており、図１、図２に示す鎖線Ｏは後述する把手部材４０の柄部（把手部）４２の軸線及びその延長線（以下、把手軸Ｏと記す。）を示している。また、本実施の形態では、ボトル軸Ｌ方向の口部１４側（図１、図２における上側）を上方とし、ボトル軸Ｌ方向の底部１２側（図１、図２における下側）を下方とし、ボトル軸Ｌの延在方向を上下方向とする。また、後述する把手部材４０が取り付けられた把手取付面側（図２における右側）を後方とし、その反対側（図２における左側）を前方とする。さらに、後述する垂直壁２３に沿った方向においてボトル軸Ｌに直交する方向（図１における横方向）を左右方向とする。
【００１７】
図１〜図４に示すように、本実施の形態である把手付ボトル容器１は、ボトル本体１０に把手部（以下、柄部４２と記す。）が設けられた構成からなる。具体的に説明すると、把手付ボトル容器１は、ボトル本体１０と、このボトル本体１０に装着される把手部材４０とを有している。
【００１８】
ボトル本体１０は、ボトル軸Ｌに沿って延びる胴部１１と、この胴部１１の下端部に連設される底部１２と、前記胴部１１の上端部に連設されて上側に向かうにしたがい漸次縮径された肩部１３と、この肩部１３の上端部に連設されて上方に向けて延在した口部１４とを備えている。これら、胴部１１、底部１２、肩部１３及び口部１４は、例えばポリエチレンテレフタレート（ＰＥＴ）等の合成樹脂によりボトル軸Ｌを共通軸として一体に形成されている。なお、胴部１１は、把手部材４０が装着される上側胴部２１と側面視概略矩形状に形成された下側胴部２２とから構成されている。
【００１９】
また、ボトル本体１０は、ボトル横断面視において多角形状を成している。
詳しく説明すると、下側胴部２２は、図３、図４に示すように、ボトル横断面視において八角形状を成している。すなわち、下側胴部２２は、前側の前壁面２２ａと、この前壁面２２ａにボトル軸Ｌを挟んで対向する後側の後壁面２２ｂと、ボトル軸Ｌを挟んで互いに対向する左右両側の側壁面２２ｃ，２２ｃと、前壁面２２ａと左右両側の側壁面２２ｃ，２２ｃとの間にそれぞれ介在された前側角壁面２２ｄ，２２ｄと、後壁面２２ｂと左右両側の側壁面２２ｃ，２２ｃとの間にそれぞれ介在された後側角壁面２２ｅ，２２ｅと、を備えている。上記した
【００２０】
一方、上側胴部２１は、図３に示すように、ボトル横断面視において十角形状を成している。すなわち、上側胴部２１は、前側の前壁面２１ａと、この前壁面２１ａにボトル軸Ｌを挟んで対向する後側の後壁面２１ｂと、ボトル軸Ｌを挟んで互いに対向する左右両側の側壁面２１ｃ，２１ｃと、前壁面２１ａと左右両側の側壁面２１ｃ，２１ｃとの間にそれぞれ介在された前側角壁面２１ｄ，２１ｄと、後壁面２１ｂの両側にそれぞれ設けられた第一後側角壁面２１ｅ，２１ｅと、側壁面２１ｃ，２１ｃと第一後側角壁面２１ｅ，２１ｅとの間に介在された第二後側角壁面２１ｆ，２１ｆと、を備えている。
【００２１】
なお、上記した上側胴部２１の前側角壁面２１ｄ，２１ｄと第一後側角壁面２１ｅ，２１ｅと第二後側角壁面２１ｆ，２１ｆ、及び下側胴部２２の前側角壁面２２ｄ，２２ｄと後側角壁面２２ｅ，２２ｅとは、それぞれボトル横断面視においてボトル軸Ｌと把手軸Ｏとを通る平面Ｐに対して９０度よりも小さい角度で傾いている。つまり、ボトル横断面視において、前側角壁面２１ｄ，２２ｄは、前壁面２１ａ，２２ａや側壁面２１ｃ，２２ｃに対して斜めに形成されており、また、第一，第二後側角壁面２１ｅ，２１ｆ及び後側角壁面２２ｅは、後壁面２１ｂ，２２ｂや側壁面２１ｃ，２２ｃに対して斜めに形成されている。
【００２２】
また、図１、図２、図４に示すように、上側胴部２１の後側の部分には、ボトル内方側に向けて凹んだ凹部２０が設けられている。この凹部２０は、ボトル軸Ｌと平行に延びる垂直壁２３を有しており、この垂直壁２３の上端には、垂直壁２３からボトル径方向外側に向けて湾曲状に突出した上壁２４が形成され、垂直壁２３の下端には、下側胴部２２に連なる傾斜した下壁２５が形成されている。
【００２３】
上記した垂直壁２３の左右方向の中央位置には、ボトル径方向外側へ突出するように装着凸部３０が凸設されている。この装着凸部３０は、上記した上壁２４から下壁２５にかけて延設されている。この装着凸部３０の左右両側の側面には、凸部内側に向けて凹んだ被掛止部３０ａ，３０ａがそれぞれ形成されている。
【００２４】
また、図１〜図３に示すように、ボトル本体１０の外壁面のうち、上記した凹部２０の上方の位置、つまり、後述する把手部材４０の柄部４２よりボトル口部１４側の位置には、後述する把手部材４０の柄部４２を把持した際に親指の腹部分が当接される指先当接用の第一陥没部２６Ａと第二陥没部２６Ｂとがそれぞれ形成されている。これら第一、第二陥没部２６Ａ，２６Ｂは、親指の腹部分がフィットする形状になっており、具体的には、それぞれボトル内方側に略球面状に凹んだ形状になっている。上記陥没部２６Ａ，２６Ｂとしては、一対の第一陥没部２６Ａ，２６Ａと、それらの第一陥没部２６Ａ，２６Ａの間に形成された第二陥没部２６Ｂと、が備えられている。
【００２５】
第一陥没部２６Ａは、後方側から見て、把手軸Ｏからボトル周方向にずれた位置に形成されており、把手軸Ｏを挟んで左右両側にそれぞれ形成されている。具体的に説明すると、第一陥没部２６Ａは、上記した上側胴部２１の第一後側角壁面２１ｅの全幅に亘って形成されている。この第一陥没部２６Ａは、ボトル軸Ｌ方向の径よりもボトル周方向の径の方が長い横長の略楕円形状を成しており、ボトル径方向外側からみて左右対称の形状になっている。また、第一陥没部２６Ａは、第一後側角壁面２１ｅと肩部１３との間を跨いで形成されているとともに、第一後側角壁面２１ｅと上記した上側胴部２１の後壁面２１ｂとの間、及び、後側角壁面２１ｅと第二後側角壁面２１ｆとの間をそれぞれ跨いで形成されている。つまり、第一陥没部２６Ａは、そのボトル軸Ｌ方向が、凹部２０より上方の第一後側角壁面２１ｅ部分から上記した肩部１３の下端部まで延在されており、また、そのボトル周方向が、後壁面２１ｂの側端部から第一後側角壁面２１ｅを横断して第二後側角壁面２１ｆの後方側の側端部まで延在されている。
【００２６】
第二陥没部２６Ｂは、後方側から見て、把手軸Ｏ上の位置に形成されており、一対の第一陥没部２６Ａ，２６Ａの間に配設されている。具体的に説明すると、第二陥没部２６Ｂは、上記した上側胴部２１の後壁面２１ｂのボトル周方向の中央位置に形成されている。この第二陥没部２６Ｂは、第一陥没部２６Ａと同様の形状を成しており、ボトル径方向外側からみて左右対称の横長の略楕円形状になっている。また、第二陥没部２６Ｂは、後壁面２１ｂと肩部１３との間を跨いで形成されている。つまり、第二陥没部２６Ｂは、そのボトル軸Ｌ方向が、凹部２０より上方の後壁面２１ｂ部分から上記した肩部１３の下端部まで延在されている。
【００２７】
次に、把手部材４０について説明する。
把手部材４０は、側面視して図２に示すように環状をなす部材であり、上記した装着凸部３０に装着されている。把手部材４０には、上記装着凸部３０に嵌められる装着部４１と、把持するための柄部４２と、が備えられている。
【００２８】
装着部４１は、装着凸部３０の側面に形成された被掛止部３０ａに嵌合されるものであり、装着凸部３０の側面に沿って延在されている。装着部４１の内周面には、上記した被掛止部３０ａ，３０ａに掛止される掛止部４１ａ，４１ａが形成されている。
柄部４２は、ボトル本体１０の底部１２側から口部１４側へ向けて延びた板状部材であり、その上端部及び下端部は、それぞれ装着部４１の上端部と下端部とに連設されている。この柄部４２は、装着凸部３０の先端面３０ｂからボトル径方向外側（図２における右側）に離間した位置で垂直壁２３と略平行に延設されている。
【００２９】
次に、上記した構成からなる把手付ボトル容器１の作用について説明する。
【００３０】
まず、把手付ボトル容器１内の内容物Ｘの残量が多く重い場合、図５（ａ）に示すように、親指以外の指で柄部４２を把持するとともに親指を第二陥没部２６Ｂに当接させ、親指でボトル本体１０の上部を押圧して把手付ボトル容器１を前面側に傾ける。これにより、ボトル本体１０内の内容物Ｘが口部１４から流出する。このとき、第二陥没部２６Ｂに当接させた親指には力が込められるとともに、把手付ボトル容器１が前面側に回動する。
【００３１】
一方、把手付ボトル容器１内の内容物Ｘの残量が少なく軽い場合、図５（ｂ）に示すように、親指以外の指で柄部４２を把持するとともに、第一陥没部２６Ａに親指を当接させた状態で、把手付ボトル容器１を側面側に傾ける。これにより、ボトル本体１０内の内容物Ｘが口部１４から流出する。このとき、把手付ボトル容器１が側面側に回動するとともに、第一陥没部２６Ａに当接された親指によってボトル本体１０が支えられる。
【００３２】
なお、図５（ｂ）に示すように把手付ボトル容器１を右手で把持する場合は、ボトル後面側からみて左側の第一陥没部２６Ａに親指を当接させ、反対に、把手付ボトル容器１を左手で把持する場合は、ボトル後面側からみて右側の第一陥没部２６Ａに親指を当接させる。
また、把手軸Ｏからボトル周方向にずれた位置にある第一陥没部２６Ａが、ボトル径方向外側からみて左右対称形状になっているが、ボトル軸Ｌと把手軸Ｏとを通る平面Ｐに対して傾いた第一後側角壁面２１ｅに上記第一陥没部２６Ａが形成されているため、この第一陥没部２６Ａに親指の腹部分がフィットする。
【００３３】
上記した把手付ボトル容器１によれば、図５（ｂ）に示すように、把手付ボトル容器１を側面側に傾ける際、把手付ボトル容器１の回動とともに、第一陥没部２６Ａに当接された親指によってボトル本体１０が支えられるので、把手付ボトル容器１を容易に且つ大きく傾けることができる。これにより、ボトル本体１０内の内容物Ｘの残量が少ない場合であっても、その内容物Ｘを容易に注ぐことができる。
【００３４】
また、把手付ボトル容器１を側面側に傾ける際、第一陥没部２６Ａに当接された親指によってボトル本体１０が支えられるので、把手付ボトル容器１の傾き度合いが調整し易く、注ぎ量の微調整が行い易い。これにより、内容物Ｘの注ぎ過ぎ等を防止することができる。
【００３５】
また、左右対称形状の第一陥没部２６Ａが親指の腹部分にフィットするため、第一陥没部２６Ａを非対称な形状にする必要が無く、ボトル本体１０の成形を容易に行うことができる。仮に、ボトル本体１０が横断面視円形の場合や、ボトル軸Ｌと把手軸Ｏとを通る平面Ｐに対して直交又は平行するボトル外壁面に上記第一陥没部２６Ａが形成されている場合、第一陥没部２６Ａは、その横方向の一方側の部分を他方側の部分よりも浅くした形状、つまり、第一陥没部２６Ａのうちの最も凹んだ部分が第一陥没部２６Ａの中心位置からずれた位置になる形状に形成しなければ、親指の腹部分をフィットさせることが難しい。このように左右非対称な形状の陥没部を成形すると、成形性が劣る可能性が考えられる。
【００３６】
また、把手軸Ｏからずれた位置にある第一陥没部２６Ａと把手軸Ｏ上の位置にある第二陥没部２６Ｂとがそれぞれ形成されているので、ボトル容器の内容物の残量が少ない場合だけでなく、ボトル容器内の内容物の残量が多くて重量が重い場合であっても、容易に内容物を注ぐことができる。
【００３７】
さらに、第一陥没部２６Ａは、把手軸Ｏを挟んで左右両側にそれぞれ形成されているので、ボトル容器の内容物の残量が少ない場合に、右手又は左手のどちらでも同様に内容物を容易に注ぐことができる。また、親指を一方の第一陥没部２６Ａに当接させるとともに、人差し指を他方の第一陥没部２６Ａに当接させ、それ以外の指で柄部４２を把持した状態で安定させて使用することもできる。
【００３８】
以上、本発明に係る把手付きボトル容器の実施の形態について説明したが、本発明は上記した実施の形態に限定されるものではなく、その趣旨を逸脱しない範囲で適宜変更可能である。
例えば、上記した実施の形態では、柄部４２を有する把手部材４０とボトル本体１０とが別体になっており、ボトル本体１０の装着凸部３０に把手部材４０が取り付けられることにより、ボトル本体１０に柄部４２（把手部）が設けられる構成になっているが、本発明は、ボトル本体と把手部とが一体成形される構成であってもよい。
【００３９】
また、上記した実施の形態では、下側胴部２２が横断面視八角形状になっており、上側胴部２１が横断面視十角形状になっているが、本発明は、ボトル本体の横断面視形状は適宜変更可能である。例えば、横断面視六角形状のボトル本体であってもよく、その他、ボトル本体の横断面視形状が他の多角形状になっていてもよい。さらに、本発明は、ボトル本体の横断面視形状を、円形等の多角形以外の形状にすることも可能である。
【００４０】
また、上記した実施の形態では、ボトル横断面視において、ボトル軸Ｌと把手軸Ｏとをそれぞれ通る平面Ｐに直交する方向に延在する後壁面２１ｂが、第一陥没部２６Ａが形成された両側の第一後側角壁面２１ｅ，２１ｅの間に形成されているが、本発明は、上記後壁面２１ｂが無く、両側の第一後側角壁面２１ｅ，２１ｅの側端部同士が連結された形状のボトル本体であってもよい。この場合、両側の第一後側角壁面２１ｅ，２１ｅの間を跨いで第二陥没部２６Ｂを形成してもよい。
【００４１】
また、上記した実施の形態では、ボトル後面側からみて、第一陥没部２６Ａが把手軸Ｏを挟んで左右両側にそれぞれ形成され、これら第一陥没部２６Ａ，２６Ａの間に第二陥没部２６Ｂが形成されているが、本発明は、第一陥没部２６Ａが左右何れか一方にのみ形成された構成にすることも可能であり、また、真中の第二陥没部２６Ｂが無い構成にすることも可能である。
【００４２】
また、上記した実施の形態では、ボトル横断面視においてボトル軸Ｌと把手軸Ｏとを通る平面Ｐに対して傾いた第一後側角壁面２１ｅに、第一陥没部２６Ａが形成されているが、本発明は、ボトル横断面視において上記平面Ｐに直交又は平行する外壁面に第一陥没部２６Ａが形成された構成にすることも可能であり、或いは、円弧形状の外壁面に第一陥没部２６Ａが形成された構成にすることも可能である。
【００４３】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００４４】
【図１】本発明の実施の形態を説明するための把手付ボトル容器の側面図である。
【図２】本発明の実施の形態を説明するための把手付ボトル容器の側面図である。
【図３】本発明の実施の形態を説明するための把手付ボトル容器の平面図である。
【図４】図１に示すＡ−Ａ間の横断面図である。
【図５】本発明の実施の形態を説明するための把手付ボトル容器内の内容物を注ぐ状態を表した側面図である。
【符号の説明】
【００４５】
１  把手付ボトル容器
１０  ボトル本体
１２  底部
１４  口部
４２  柄部（把手部）
２６Ａ  第一陥没部
２６Ｂ  第二陥没部
２１ｅ  第一後側角壁面（ボトル外壁面）
Ｌ  ボトル軸（ボトル本体の軸線）
Ｏ  把手軸（把手部の軸線、軸線延長線）
Ｐ  平面
【図１】
0005011002.tif 000002
【図２】
0005011002.tif 000003
【図３】
0005011002.tif 000004
【図４】
0005011002.tif 000005
【図５】
0005011002.tif 000006